(57)【特許請求の範囲】
【請求項１】
データ端末装置を中央監視装置に通信接続するために公衆回線に対して電気的条件の整合をとる網制御部と、需要家宅の電話器を呼び出す信号を検出する呼び出し信号検出部と、前記データ端末装置や前記中央監視装置からの信号を電文に変換する受信部と、前記受信部で受信した受信電文を解析する電文解析部と、前記電話器がオフフックされたことを検出するオフフック検出部と、前記呼び出し信号検出部が呼び出し信号を検出し前記オフフック検出部が前記電話器がオフフックされたことを検出すると前記網制御部を制御して前記中央監視装置からの信号を前記受信部で受信させる話中網制御部とからなる回線端末装置。
【発明の詳細な説明】
【０００１】
【発明の属する技術分野】
本発明は、通信によりガス遮断装置等のデータ端末装置からデータの収集を行い公衆回線網を利用したノーリンギング通信サービスや端末発呼方式により中央監視装置やホームコントローラへデータ転送を行うための回線端末装置に関するものである。
【０００２】
【従来の技術】
図３に示すように、従来この種の回線端末装置１は第１データ端末装置２、第２データ端末装置３を公衆回線４に接続する装置である。
【０００３】
ここで第１データ端末装置２はマイクロコンピュータ内蔵の通信機能付き自動ガス遮断装置で、ガスメータに接続されガス流量を計測し異常を検出するとガスの供給を遮断するもので検針値や遮断事由、遮断５分前予告等を回線端末装置１を介して中央監視装置５にデータ通信をする装置である。
【０００４】
また第２データ端末装置３は第１データ端末装置２と同様のデータ端末装置である。そしてこの第１、第２データ端末装置２、３はガスの使用が長時間継続して遮断予定の５分前になると、最初に発信先電話番号情報を持つ起動電文を送信することで通信を開始し、最後に通信終了電文を受信することで通信動作を終了する通信プロトコルである。
【０００５】
まず第１データ端末装置２が起動電文を送信するとデータ端末選択スイッチ６、端末インターフェース部７を介して受信部９で起動電文を受信する。受信部９で受信した電文を電文解析部１０が発信先電話番号と認識すると回線端末装置１は中央監視装置５へ接続すべく、網制御部８により公衆回線４との電気的条件の整合をとり、第１データ端末装置２から受信した起動電文の情報を元にダイヤリングすることにより中央監視装置５を呼び出す。
【０００６】
中央監視装置５は呼び出されると回線を接続して着信応答信号を回線端末装置１へ送信する。その信号は受信部９で受信される。受信部９で受信された信号を電文解析部１０が解析し、中央監視装置５からの着信応答信号と判断すればスルー切替制御部１３は切替スイッチ１４をＡ側からＢ側にして、情報要求電文を送信電文構成部１１で形成し送信部１２から切替スイッチ１４、端末インターフェース部７、データ端末選択スイッチ６を介して第１データ端末装置２へ電文を送る。第１データ端末装置２は情報要求電文を受信すると５分前遮断予告情報付き応答電文を送信する。
【０００７】
回線端末装置１は第１データ端末装置２から送られてきた電文をデータ端末選択スイッチ６、端末インターフェース部７、切替スイッチ１４、網制御部８を介して中央監視装置５へスルー転送する。その電文は中央監視装置５で受信されると中央監視装置５は通信を終了すべく通信終了電文を送信する。回線端末装置１ではこの通信終了電文を第１データ端末装置２へスルー転送して中央監視装置５との通信を終了する。回線端末装置１はこの時、網制御部８により公衆回線４との通信路を切断するとともにスルー切替制御部１３により切替スイッチ１４をＢ側からＡ側にもどす。
【０００８】
一方、端末発呼により上がってきた情報別の処理を行う中央監視装置５では５分前遮断予告の情報が上がってきたので該当する需要家宅へ監視員が電話をしてガス器具の異常使用がないか、消し忘れがないか等を確認して需要家のガス器具の使用に対して注意を喚起する。一般にこの通話は回線端末装置１に接続されている電話機１５が使用される。
【０００９】
そして監視員は需要家宅との電話応対により、ガスの使用に問題無いと判断すると一旦需要家宅への通話を切る。そして第１データ端末装置２の遮断回避をするため第１データ端末装置２の遮断監視タイマーのクリア処理通信を実行すべく中央監視装置５から回線端末装置１へノーリングング通信を行う。続いてノーリンギング着信で呼び出された回線端末装置１は網制御部８により公衆回線４との電気的条件の整合をとり中央監視装置５と通信を可能にする。
【００１０】
次に中央監視装置５から電文が送信され、その電文は受信部９で受信される。受信部９で受信された電文は電文解析部１０で解析される。そして受信した電文が第１データ端末装置２に対する起動要求であると解析されると、スルー切替制御部１３が切替スッチ１４の接点をＡ側からＢ側へスイッチし、第１データ端末装置２に対する電文を送信部１２から送信し、端末インターフェース部７で信号に変換されデータ端末選択スイッチ６を介して出力される。
【００１１】
これに対して第１データ端末装置２から応答電文が送信され、その電文をデータ端末選択スイッチ６、端末インタフェース部７、切替スイッチ１４、網制御部８、公衆回線４を介して転送することで中央監視装置５と第１データ端末装置２は通信可能となる。次に中央監視装置５は第１データ端末装置２の遮断回避をすべく遮断監視タイマーのクリア電文の送信を行うことにより遮断を回避する。
【００１２】
図４は従来例における第１データ端末装置２の遮断を回避する手順である（矢印の向きに電文が送られる）。
【００１３】
第１データ端末装置２は遮断５分前になると発信先情報が付加した起動電文（１）を回線端末装置１へ送信する。そうなると回線端末装置１は発信先情報に基づいてダイヤリングをして中央監視装置５を呼び出す。呼び出された中央監視装置５は回線端末装置１へアンサートーン（着信応答信号）（２）を送出して発呼情報を要求する。回線端末装置１はアンサートーン（２）を受信後第１データ端末装置２へアラーム情報要求電文（３）を送信する。
【００１４】
第１データ端末装置２から折り返しアラーム情報応答電文（４）を送信されると回線端末装置１はその電文を中央監視装置５へスルー転送することにより遮断５分前を知らせる。そして中央監視装置５は通信を終了すべく通信終了電文（５）を送信する。
【００１５】
回線端末装置１ではこの通信終了電文（５）を第１データ端末装置２へスルー転送して中央監視装置５との通信を終了する。中央監視装置５側ではこの情報に基づき需要家宅へ監視員がダイヤリングして需要家を呼び出し電話で状況確認を行う。監視員が通話終了後、あらためて中央監視装置５からノーリンギング着信で回線端末装置１を呼び出して回線を接続する。
【００１６】
次に中央監視装置５は第１データ端末装置２を電文選択（６）して通信を始めると、以降中央監視装置５と選択された第１データ端末装置２の間で電文（７）（８）（９）（１０）の転送が行われ第１データ端末装置２に遮断回避をする監視タイマーのクリア電文（９）が届き、第１データ端末装置２からは処理受け付け応答電文（１０）が返送される。さらに中央監視装置５は第１データ端末装置２との通信を終了するため回線端末装置１及び、第１データ端末装置２に対して通信終了電文（１１）を送信する。
【００１７】
【発明が解決しようとする課題】
しかしながら、上記のような構成では、監視員が需要家との電話応対をした後一旦通話を終了して再度中央監視装置５からノーリンギング通信により第１データ端末装置２との通信を始めなけらばならなかった。そのため需要家宅へ電話がつながるのが遅れたり、電話応対が長引いたりすると、遮断回避が間に合わなくなったり、遮断回避用ノーリンギング通信の通信費用の負担がかかったり、遮断回避したらそのことを需要家へ連絡するための電話をしなければならないという課題を有していた。
【００１８】
【課題を解決するための手段】
本発明は上記課題を解決するためにデータ端末装置を中央監視装置に通信接続するために公衆回線に対して電気的条件の整合をとる網制御部と需要家宅の電話器を呼び出す信号を検出する呼び出し信号検出部と、データ端末装置や中央監視装置からの信号を電文に変換する受信部と、受信部で受信した受信電文を解析する電文解析部と、電話器がオフフックされたことを検出するオフフック検出部と、呼び出し信号検出部が呼び出し信号を検出し前記オフフック検出部が前記電話器がオフフックされたことを検出すると網制御部を制御して中央監視装置からの信号を受信部で受信させる話中網制御部を有するものである。
【００１９】
上記発明によれば中央監視装置側から需要家宅へ電話連絡した回線を接続したままにしておき中央監視装置から電文を送信すると、回線端末装置経由でデータ端末装置との通信ができる。
【００２０】
【発明の実施の形態】
本発明の回線端末装置は、データ端末装置を中央監視装置に通信接続するために公衆回線に対して電気的条件の整合を取る網制御部と需要家宅の電話器を呼び出す信号を検出する呼び出し信号検出部と、データ端末装置や中央監視装置からの信号を電文に変換する受信部と、受信部で受信した受信電文を解析する電文解析部と、データ端末装置からの起動による端末発呼通信の場合は通信終了後、呼び出し信号監視部が呼び出し信号を検出すると網制御部を制御して中央監視装置からの信号を受信部で受信させる話中網制御部とを有するものである。そしてデータ端末装置からの起動電文を受信することにより端末発呼通信を終了すると呼び出し信号の監視状態になり、中央監視装置側から需要家宅へ電話連絡するための呼び出し信号を検出すると、受信制御部により網制御部を制御して中央監視装置からの信号を受信部で受信できるようになるため、中央監視装置側から需要家宅へ電話連絡した回線を接続したままにしておけば中央監視装置から電文を送信することで回線端末装置経由でデータ端末装置との通信ができる。
【００２１】
また、需要家宅の電話器がオフフックされたことを検出するオフフック検出部がオフフックを検出すると網制御部を制御して中央監視装置からの信号を受信部で受信させる話中網制御部とを有するものである。
【００２２】
そして回線端末装置は中央監視装置側から需要家宅へ電話連絡するための呼び出し信号を検出し、さらにオフフック検出部がオフフックを検出するまでは中央監視装置からの信号を受信部で受信させないため、需要家が不在の時等電話にでられない時は網制御部や受信部を稼働させないためその間は消費電力を低減できる。
【００２３】
以下、本発明の実施例について図面を用いて説明する。
（実施例１）
図１は、本発明の回線端末装置のブロック構成図である。なお図３と同一番号のものは同じ機能を有する構成要素である。図１において１６は需要家宅の電話機１５を呼び出す信号を検出する呼び出し信号検出部、１７は需要家宅の電話機１５がオフフックされたことを検出するオフフック検出部、１８は話中網制御部である。第１、第２データ端末装置２、３からの起動による端末発呼通信の場合は、通信終了後呼び出し信号検出部１６が呼び出し信号を検出すると、網制御部８を制御して中央監視装置５からの信号を受信部９で受信する。１９は本発明の回線端末装置である。
【００２４】
次に動作について説明すると、まず第１データ端末装置２がガスの使用が長時間継続して遮断予定の５分前になると、最初に発信先電話番号情報を持つ起動電文を回線端末装置１９へ送信する。回線端末装置１９ではデータ端末選択スイッチ６、端末インターフェース部７を介して受信部９で起動電文を受信する。受信部９で受信した電文を電文解析部１０が発信先電話番号と認識すると回線端末装置１９は中央監視装置５へ接続すべく、網制御部８により公衆回線４との電気的条件の整合をとり第１データ端末装置２から受信した起動電文の情報を元にダイヤリングすることにより中央監視装置５を呼び出す。
【００２５】
中央監視装置５は呼び出されると回線を接続して着信応答信号を回線端末装置１９へ送信する。その信号は受信部９で受信される。受信部９で受信された信号を電文解析部１０が解析し、中央監視装置５からの着信応答信号と判断すればスルー切替制御部１３は切替スイッチ１４をＡ側からＢ側にして、情報要求電文を送信電文構成部１１で形成し送信部１２から端末インターフェース部７、データ端末選択スイッチ６を介して第１データ端末装置２へ電文を送る。
【００２６】
第１データ端末装置２は情報要求電文を受信すると５分前遮断予告情報付き応答電文を送信する。回線端末装置１９は第１データ端末装置２から送られて来た電文をデータ端末選択スイッチ６、端末インターフェース部７、切替スイッチ１４、網制御部８を介して中央監視装置５へスルー転送する。その電文は中央監視装置５で受信されると中央監視装置５は通信を終了すべく通信終了電文を送信する。
【００２７】
回線端末装置１９ではこの通信終了電文を第１データ端末装置２へスルー転送して中央監視装置５との通信を終了する。回線端末装置１９はこの時、網制御部８により公衆回線４との通信路を切断するとともにスルー切替制御部１３で切替スイッチ１４をＢ側からＡ側にもどす。さらにデータ端末装置２または３からの起動による端末発呼通信の場合なので通信終了後、呼び出し信号検出部１６は需要家宅の電話器１５を呼び出す信号を検出待ち状態となる。
【００２８】
一方、端末発呼により上がって来た情報別の処理を行う中央監視装置５では５分前遮断予告の情報が上がってきたので該当する需要家宅へ監視員が電話をしてガス器具の異常使用がないか、消し忘れがないかを確認して需要家のガス器具の使用に対して注意を喚起する。この通話には回線端末装置１９が接続されている回線の電話器１５が使用される。この時、電話で需要家を呼び出す際の呼び出し信号を呼び出し信号検出部１６が検出するため、話中網制御部１８は網制御部８を制御して公衆回線４上の信号を受信部９へ伝える。
【００２９】
そして監視員は需要家宅との電話応対により、ガスの使用に問題無いと判断すると一旦需要家宅への通話をそのまま保留して、回線を接続したまま第１データ端末装置２の遮断回避をするため第１データ端末装置２の遮断監視タイマーのクリア処理通信を実行すべく中央監視装置５から回線端末装置１９へ電文の送信を始める。回線端末装置１９は話中網制御部１８により、網制御部８を制御して受信部９で受信できる状態になっており、中央監視装置５からの送信された電文を受信し電文解析部１０で解析する。
【００３０】
そして受信した電文が第１データ端末装置２に対する起動要求であると解析されると、スルー切替制御部１３が切替スッチ１４の接点をＡ側からＢ側へスイッチし、第１データ端末装置２に対する電文を送信電文構成部１１で形成し送信部１２、切替スイッチ１４、端末インターフェース部７、データ端末選択スイッチ６を介して第１データ端末装置２へ出力される。
【００３１】
これに対して第１データ端末装置２から応答電文が送信され、その電文をデータ端末選択スイッチ６、端末インタフェース部７、切替スイッチ１４、網制御部８、公衆回線４介して転送することで中央監視装置５と第１データ端末装置２は通信可能となる。
【００３２】
次に中央監視装置５は第１データ端末装置２の遮断回避をすべく遮断監視タイマーのクリア電文の送信を行うことにより遮断を回避する。
【００３３】
図２は本発明の実施例における回線端末装置１９の通信シーケンスである。図２を用いて電文の流れで回線端末装置の動作を説明するとまず第１データ端末装置２は遮断５分前になると発信先情報が付加した起動電文（１）を回線端末装置１９へ送信する。そうなると回線端末装置１９は発信先情報に基づいてダイヤリングをして中央監視装置５へ呼び出す。
【００３４】
呼び出されて中央監視装置５は回線端末装置１９へアンサートーン（着信応答信号）（２）を送出して発呼情報を要求する。回線端末装置１９はアンサートーン（２）受信後第１データ端末装置２へアラーム情報要求電文（３）を送信する。
【００３５】
第１データ端末装置２から折り返しアラーム情報応答電文（４）を送信されると、回線端末装置１９はその電文を中央監視装置５へスルー転送することにより遮断５分前を知らせる。そして中央監視装置５は通信を終了すべく通信終了電文（５）を送信する。回線端末装置１９ではこの通信終了電文（５）を第１データ端末装置２へスルー転送して中央監視装置５との通信を終了する。中央監視装置側ではこの情報に基づき需要家宅へ監視員がダイヤリングして需要家を呼び出し電話で状況確認を行う。
【００３６】
監視員は電話応対後、回線を接続したまま中央監視装置５から回線端末装置１９へ電文を送信し第１データ端末装置２を電文選択（６）して通信を始める。以降中央監視装置５と選択された第１データ端末装置２の間で電文（７）（８）（９）（１０）の転送が行われ第１データ端末装置２に遮断回避をする監視タイマーのクリア電文（９）が届き、第１データ端末装置２からは処理受け付け応答電文（１０）が返送される。続いて中央監視装置５は第１データ端末装置２との通信を終了するため回線端末装置１９、第１データ端末装置２に対して通信終了電文（１１）を送信する。
【００３７】
この構成によればデータ端末装置２、３からの起動電文を受信することにより端末発呼通信を終了すると呼び出し信号の監視状態になり、中央監視装置５側から需要家宅へ電話連絡するための呼び出し信号を呼び出し信号検出部１６が検出すると、受信制御部９により網制御部８を制御して中央監視装置５からの信号を受信部９で受信できるようになるため、中央監視装置５側から需要家宅へ電話連絡した回線を接続したまま、中央監視装置５から回線端末装置１９経由でデータ端末装置２、３との通信が可能になる。
【００３８】
（実施例２）
次に本発明の実施例２を図１を用いて説明する。図１において前記実施例１と相違する点は需要家宅の電話器１５がオフフックされたことを検出するオフフック検出部１７がオフフックを検出すると、網制御部８を制御して中央監視装置５からの信号を受信部９で受信させる話中網制御部１８を有することである。
【００３９】
次に動作について説明する。まず第１データ端末装置２がガスの使用が長時間継続して遮断予定の５分前になると最初に発信先電話番号情報を持つ起動電文を回線端末装置１９へ送信する。回線端末装置１９では受信部９で起動電文を受信する。受信した電文を電文解析部１０が発信先電話番号と認識すると回線端末装置１９は中央監視装置５へ接続すべく、網制御部８により公衆回線４との電気的条件の整合を取りダイヤリングすることにより中央監視装置５を呼び出す。呼び出された中央監視装置５は着信応答信号を回線端末装置１９へ送信する。回線端末装置１９は中央監視装置５からの着信応答信号と判断すれば情報要求電文を第１データ端末装置２へ電文を送る。第１データ端末装置２は情報要求電文を受信すると５分前遮断予告情報付き応答電文を送信する。回線端末装置１９は第１データ端末装置２から送られて来た中央監視装置５へスルー転送する。その電文は中央監視装置５で受信されると中央監視装置５は通信を終了すべく通信終了電文を送信する。
【００４０】
回線端末装置１９ではこの通信終了電文を第１データ端末装置２へスルー転送して中央監視装置５との通信を終了する。回線端末装置１９はこの時、データ端末装置２または３からの起動による端末発呼通信の場合は通信終了後、呼び出し信号検出部１６は需要家宅の電話器１５を呼び出す信号を検出待ち状態となりかつオフフック検出部１７は需要家宅の電話器１５のオフフック待ち状態となる。
【００４１】
一方、端末発呼により上がって来た情報別の処理を行う中央監視装置５では５分前遮断予告の情報が上がってきたので該当する需要家宅へ監視員が電話をしてガス器具の異常使用がないか、消し忘れがないかを確認して需要家のガス器具の使用に対して注意を喚起する。
【００４２】
この通話は通常、回線端末装置１９が接続されている回線の電話器１５が使用される。この時、中央監視装置５側の監視員からの電話で需要家を呼び出す際の呼び出し信号を呼び出し信号検出部１６が検出するが、話中網制御部１８はこの時点ではまだ網制御部８を制御しない。
【００４３】
需要家が呼び出しに応じるため電話器１５をオフフックするとオフフック検出部１７がオフフックを検出すると、話中網制御部１８は初めて網制御部８を制御して公衆回線４上の信号を受信部９へ伝える。そして監視員は需要家宅との電話応対により、ガスの使用に問題無いと判断すると一旦需要家宅への通話をそのまま保留して、回線を接続したまま第１データ端末装置２の遮断回避をするため第１データ端末装置２の遮断監視タイマーのクリア処理通信を実行すべく中央監視装置５から回線端末装置１９へ電文の送信を始める。
【００４４】
この構成によれば中央監視装置５側から需要家宅へ電話連絡するための呼び出し信号を検出しさらにオフフック検出部１７がオフフックを検出するまでは受信状態にさせないため、需要家が不在等で電話にでられない時は網制御部８や受信部９を稼働させないためその間は消費電力を低減できる。
【００４５】
従って回線端末装置１９の電源は停電時でも動作できるように電池が使用されているのが一般的なため、消費電力低減できることは電池の消耗を押さえることにつながり、電源コストを低くあるいは動作寿命を長くできる。
【００４６】
【発明の効果】
以上のように本発明の回線端末装置によれば、次の効果が得られる。
【００４７】
本発明の回線端末装置は、中央監視装置側から需要家宅へ電話連絡するための呼び出し信号を検出してもオフフック検出部がオフフックを検出するまではすると受信制御部により網制御部を制御して中央監視装置からの信号を受信部で受信できるようになる。従って中央監視装置側から需要家宅へ電話連絡した回線を接続したまま中央監視装置から回線端末装置経由でデータ端末装置との通信ができるので、監視員が需要家との電話応対をした後一旦通話を終了して再度中央監視装置からノーリンギング通信により第１データ端末装置との通信を始める必要がない。また需要家宅へ電話がつながるのが遅れたり、電話応対が長引いたりしても、回線を接続したままであるため即通信に移行でき遮断回避の通信が間に合わなくなるケースを少なくすることができる。また遮断回避用ノーリンギング通信の費用が別途必要にならない。また需要家との通話は保留のまま遮断回避の通信ができるため、続けて中央監視装置側から需要家へ遮断回避したことを電話連絡することが可能で、あらためて需要家へ電話をする必要がなくなるので通話料が安くなる。
【００４８】
また、中央監視装置側から需要家宅へ電話連絡するための呼び出し信号を検出しさらにオフフック検出部がオフフックを検出するまでは中央監視装置からの信号を受信部で受信させないため、需要家が不在の時等で電話にでられない時は網制御部や受信部を稼働させないためその間の消費電力を低減できる。
【図面の簡単な説明】
【図１】本発明の実施例における回線端末装置のブロック構成図
【図２】同装置の通信シーケンスを示す図
【図３】従来の回線端末装置のブロック構成図
【図４】同装置の通信シーケンスを示す図
【符号の説明】
６  データ端末選択スイッチ
７  端末インタフェース部
８  網制御部
９  受信部
１０  電文解析部
１３  スルー切替制御部
１４  切替スイッチ
１６  呼び出し信号検出部
１７  オフフック検出部
１８  話中網制御部
【図１】
0003760522.tif 000002
【図２】
0003760522.tif 000003
【図３】
0003760522.tif 000004
【図４】
0003760522.tif 000005